(57)【要約】【課題】  指針に照明光を効率よく供給することが可能な指針式計器装置を提供する。【解決手段】  液晶表示素子７を備えた表示器２と、指示部４ａが表示器２の周囲から露出するとともにその基部４ｂが表示器２の背面側に配置された指針４と、指針４の基部４ｂと接続する指針軸５ａを介して指針４を駆動する駆動装置５と、液晶表示素子７を照明する光源８ａと、液晶表示素子７の背面側に配置され液晶表示素子７と指針４とに光源８ａからの照明光を供給する導光部材８ｂと、を備えた指針式計器装置１において、導光部材８ｂの指針基部４ｖと対向する側に指針軸５ａの軸方向に段差を設け、この段差を指針４の受光部４ｅに照明光を供給する出射部８ｃとしたものである。【選択図】  図２
2009058315.tif 000002
【特許請求の範囲】
【請求項１】
表示素子を備えた表示器と、指示部が前記表示器の周囲から露出するとともにその基部が前記表示器の背面側に配置された指針と、前記指針の基部と接続する指針軸を介して前記指針を駆動する駆動装置と、前記表示素子を照明する光源と、前記表示素子の背面側に配置され前記表示素子と前記指針とに前記光源からの照明光を供給する導光部材と、を備えた指針式計器装置において、前記導光部材の前記指針基部と対向する側に前記指針軸の軸方向に段差を設け、この段差を前記指針の受光部に照明光を供給する出射部としたことを特徴とする指針式計器装置。
【請求項２】
前記指針に供給される照明光が前記出射部から前記指針軸の軸方向に対して垂直方向に前記指針に入射することを特徴とする請求項１に記載の指針式計器装置。
【発明の詳細な説明】
【技術分野】
【０００１】
本発明は、例えば、指針を備えた指針式計器装置に関するもので、特に前記指針の回動中心に表示器を備えた指針式計器装置に関する。
【背景技術】
【０００２】
従来の指針式計器装置は、特許文献１に開示されるものが知られている。かかる指針式計器装置は、回路基板にステッピングモータなどの駆動装置を配置し、前記駆動装置の回転軸周辺の回路基板上に発光素子などの光源を配置し、前記光源にて指針を照明するものであった。
【特許文献１】特開２００５−２７４４３８号公報
【発明の開示】
【発明が解決しようとする課題】
【０００３】
しかしながら、従来の指針式計器装置は、前記指針の回転中心には、前記指針を駆動する回転軸が存在し、前記指針を照明する照明光の経路は、この駆動軸の周囲に設けた指針の受光部を介したものであり、照明効率が劣るという問題点があった。
【０００４】
そこで、本発明は、前述した問題点に着目し、指針に照明光を効率よく供給することが可能な指針式計器装置を提供する。
【課題を解決するための手段】
【０００５】
本発明は、表示素子を備えた表示器と、指示部が前記表示器の周囲から露出するとともにその基部が前記表示器の背面側に配置された指針と、前記指針の基部と接続する指針軸を介して前記指針を駆動する駆動装置と、前記表示素子を照明する光源と、前記表示素子の背面側に配置され前記表示素子と前記指針とに前記光源からの照明光を供給する導光部材と、を備えた指針式計器装置において、前記導光部材の前記指針基部と対向する側に前記指針軸の軸方向に段差を設け、この段差を前記指針の受光部に照明光を供給する出射部としたものである。
【０００６】
また、本発明は、前記指針に供給される照明光が前記出射部から前記指針軸の軸方向に対して垂直方向に前記指針に入射するものである。
【発明の効果】
【０００７】
本発明によれば、所期の目的を達成でき、指針に照明光を効率よく供給することが可能な指針式計器装置を提供することができる。
【発明を実施するための最良の形態】
【０００８】
以下、添付図面に基づいて本発明の実施形態を説明する。図１〜図３は、本発明の第１実施形態を示すものである。
【０００９】
指針式計器装置１は、表示器２と、文字板３と、指針４と、駆動装置５および回路基板９とで、主に構成されている。
【００１０】
表示器２は、ケース体６内に表示素子７と照明装置８とを収納している。
【００１１】
文字板３は、光を透過可能な合成樹脂からなる。そして、本実施形態では、文字板３は、半円弧状であり、この円弧内に表示器２が位置している。また、文字板３の表面には遮光性の塗料からなる遮光層を備えている。この遮光層が、いわゆる文字板３の地の部分となる。また、文字板３の表面には、目盛や文字などからなる指標部３ａが設けられている。この指標部３ａは、表示器２の周囲に位置している。本実施形態では、指標部３ａは、前記遮光層を抜いて形成したものである。よって、指標部３ａは、文字板３の背後に設けた光源３ｂからの照明光によって、透過照明されるものである。
【００１２】
指針４は、透明な合成樹脂からなる導光部材からなり、指示部４ａと基部４ｂ及び連結部４ｃとから構成されている。指示部４ａと基部４ｂ及び連結部４ｃとは、同一材料にて一体に形成されている。
【００１３】
指示部４ａは、文字板３の指標部３ａを指示するものであり、指針４の先端部を構成するものである。
【００１４】
基部４ｂは、駆動装置５の指針軸５ａに連結するボス部４ｄを備えており、ボス部４ｄに指針軸５ａを圧入して固定してある。
【００１５】
また、指針４の基部４ｂは、扇状であり、この基部４ｂの扇状の円弧部分に受光部４ｅを備えている。指示部４ａは受光部４ｅで受けた光によって照明される。本実施形態では、受光部４ｅの面は、指針軸５ａの軸方向に対して平行である。
【００１６】
駆動装置５は、交差コイル式のムーブメントやステッピングモータなどが好適であり、前述した指針軸５ａを介して、指針４を駆動するものである。
【００１７】
ケース体６は、収納ケース６ａと化粧板６ｂとから構成されている。収納ケース６ａと化粧板６ｂとは遮光性の合成樹脂からなる。収納ケース６ａと化粧板６ｂとは、図示しない固定手段によって固定されている。収納ケース６ａはカップ状であり、このカップ状の凹みに表示素子７と照明装置８とを収納している。収納ケース６ａは、駆動装置５側に延長形成された脚部６ｃを備えており、脚部６ｃを回路基板９に任意の手段にて固定してある。
【００１８】
また、カップ状の収納ケース６ａの背面には、照明装置８の後述する導光部材が露出する開口６ｄを備えている。この開口６ｄは、ケース体６の外部に照明装置８の光を出すものである。開口６ｄは、指針軸５ａを中心とした円弧状に形成されており、指針４の受光部４ｅに沿うように設けられている。
【００１９】
化粧板６ｂは、文字板３と指針４とを露出させる半円弧状の開口部６ｅと、開口部６ｅの中央部に表示素子７を露出させる窓部６ｆとを備えている。本実施形態では、開口部６ｅと窓部６ｆとは貫通した孔であるが、例えば、化粧板６ｂを透明な合成樹脂から形成し、開口部６ｅと窓部６ｆとに相当する部分を除いて遮光性の塗料を塗布し、開口部６ｅと窓部６とが透明な部材で覆われたものであってもよい。
【００２０】
表示素子７は、透過照明型の液晶表示素子である。
【００２１】
照明装置８は光源８ａと導光部材８ｂとからなる。
【００２２】
光源８ａは、例えば、発光ダイオードである。本実施形態では、複数の発光ダイオードを備えている。
【００２３】
導光部材８ｂは光を透過可能な合成樹脂からなり、光源８ａの照明光を液晶表示素子７と指針４に導くものである。導光部材８ｂは液晶表示素子７の背後に光源８ａの照明光を導き、液晶表示素子７は光源８ａの照明光によって透過照明される。
【００２４】
また、導光部材８ｂには、指針４の受光部４ｂに光源８ａの照明光を照射する出射部８ｃを備えている。この出射部８ｃは、導光部材８ｂの裏面側、すなわち、指針４の基部４ｂと対向する側に指針軸５ａの軸方向に導光部材８ｂの厚みが異なる段差から構成されている。出射部８ｃの面は、受光部４ｅの面と平行となるように対向している。
【００２５】
導光部材８ｂの出射部８ｃから指針４に供給される照明光は、出射部８ｃから指針軸５ａの軸方向に対して垂直方向に入射するものである。これは、指針４の基部４ｂと連結部４ｃとからなる長手方向に、平行に照明光が入射するものでもある。なお、指針４の基部４ｂと連結部４ｃとからなる長手方向は、指針軸５ａの軸方向に対して垂直方向である。なお、１０は発光ダイオード８ａ用の補助回路基板である。なお、本実施形態では、ケース体６が表示素子７と照明装置８とを収納しているが、前記実施形態に限定されるものではなく、例えば、照明装置８を構成する光源８ａを回路基板９に設け、ケース体６は照明装置８を構成する導光部材８ｂの一部を収納するものでもよい。
【００２６】
回路基板９は、硬質の回路基板であり、例えば、基材にガラスエポキシ樹脂を用いている。また、その表面や裏面などには、銅などの導電材料からなる図示しない配線パターンが設けられている。
【００２７】
以上のように構成したことによって、指針４に照明光を効率よく供給することが可能な指針式計器装置を提供することができる。
【００２８】
次に本発明の第２実施形態を、図４を用いて説明する。なお、前記第１実施形態と同一および相当個所には同一符号を付して、その詳細な説明は省略する。
【００２９】
前記実施形態では、出射部８ｃを構成する段差は、指針軸５ａの軸方向に対して同一方向、すなわち導光部材８の板面方向に対して垂直方向の段差であったが、本実施形態では、出射部１８ｃの断面が指針軸５ａの軸方向に対して傾斜した段差からなるものであり、すり鉢状をしている。また、指針４の受光部１４ｅは、傾斜した出射部１８ｃと対向する部分が均等となるように、断面形状が傾斜しており、受光部１４ｅは円錐面を形成している。
【００３０】
以上のように構成したことによっても、指針４に照明光を効率よく供給することが可能な指針式計器装置を提供することができる。
【図面の簡単な説明】
【００３１】
【図１】本発明の第１実施形態の指針式計器装置の正面図。
【図２】図１中Ｘ−Ｘ線の断面図。
【図３】図２中Ｙ−Ｙ線の断面図。
【図４】本発明の第２実施形態の指針式計器装置の断面図。
【符号の説明】
【００３２】
１        指針式計器装置
２        表示器
３        文字板
３ａ      指標部
４        指針
４ａ      指示部
４ｂ      基部
４ｃ      連結部
４ｄ      ボス部
４ｅ、１４ｅ      受光部
５        駆動装置
５ａ      指針軸
６        ケース体
６ａ      収納ケース
６ｂ      化粧板
６ｃ      脚部
６ｄ      開口
６ｅ      開口部
６ｆ      窓部
７        表示素子（液晶表示素子）
８        照明装置
８ａ      光源（発光ダイオード）
８ｂ      導光部材
８ｃ、１８ｃ      出射部
９        回路基板
１０        補助回路基板
【図１】
2009058315.tif 000003
【図２】
2009058315.tif 000004
【図３】
2009058315.tif 000005
【図４】
2009058315.tif 000006